(57)【特許請求の範囲】
【請求項１】
電源部からの電力供給により検知対象を検知する検知部と、
前記電源部からの電力供給をオンオフするための電源切換操作体と、
前記検知部を収納するケースとが備えられ、
前記ケースは、前記検知部の収納箇所の正面側を覆う第１被覆部位と前記収納箇所の側面側を覆う第２被覆部位を有し、
前記電源切換操作体は、前記ケースにおける前記第２被覆部位に配置され、
前記ケースにおける前記第２被覆部位には、前記ケースの外部の空気を前記ケースの内部に流入可能な流入部が備えられ、
前記電源切換操作体は、前記流入部を区画する区画部に連なる状態で備えられている検知器。
【請求項２】
前記検知部は、前記電源切換操作体が備えられる前記流入部によって前記ケースの内部に流入する空気から、煙を検知する第１検知部が含まれている請求項１に記載の検知器。
【請求項３】
前記電源切換操作体は、前記ケースに対して第１姿勢と第２姿勢とに姿勢変更させることで、前記電源部からの電力供給をオンとオフに切り換えている請求項１又は２に記載の検知器。
【請求項４】
前記電源切換操作体は、前記ケースに対して着脱自在で、且つ、前記ケースに対する装着姿勢を前記第１姿勢と前記第２姿勢とに変更自在である請求項３に記載の検知器。
【請求項５】
オン位置とオフ位置とに位置変更自在で、且つ、前記オン位置に位置する場合に前記電源部からの電力供給をオンし、前記オフ位置に位置する場合に前記電源部からの電力供給をオフする電源切換部が備えられ、
前記電源切換操作体には、前記第１姿勢にて装着された場合に前記電源切換部を前記オン位置に移動させ、且つ、前記第２姿勢にて装着された場合に前記電源切換部を前記オフ位置に移動させる移動作用部が備えられている請求項３又は４に記載の検知器。
【発明の詳細な説明】
【技術分野】
【０００１】
本発明は、電源部からの電力供給により検知対象を検知する検知部を備えた検知器に関する。
【背景技術】
【０００２】
上記検知器は、例えば、火災により発生する煙や温度上昇、不完全燃焼により発生するＣＯガス、都市ガス等のガス漏れにより発生する漏洩ガス等を検知対象とし、その検知対象の状況に応じた警報を行う警報器として用いられている。この検知器には、電源部からの電力供給をオンオフするための電源切換操作体が備えられ、この電源切換操作体によって電力供給がオン操作されると、検知部での検知動作を行い、その電力供給がオフ操作されると、検知部での検知動作を停止している（例えば、特許文献１参照。）。
【先行技術文献】
【特許文献】
【０００３】
【特許文献１】特開２００８−２８７３８２号公報
【発明の概要】
【発明が解決しようとする課題】
【０００４】
上記検知器では、通常、電源部からの電力供給をオンして検知部での検知動作を行っており、使用者が電源切換操作体を簡易に操作できれば、容易に電源部からの電力供給がオフされてしまい、検知部の検知動作を行えず、検知器としての本来の機能を発揮できない可能性がある。また、使用者の体の一部が電源切換操作体に当たる等、誤操作によって電力供給のオフ操作をしてしまう可能性もあることから、このような誤操作に対する対策を講じることも求められている。
【０００５】
この実情に鑑み、本発明の主たる課題は、電源切換操作体の操作によって電源部からの電力供給をオンとオフに切り換えることができながら、誤って電源部からの電力供給がオフされるのを防止できる検知器を提供する点にある。
【課題を解決するための手段】
【０００６】
本発明の第１特徴構成は、電源部からの電力供給により検知対象を検知する検知部と、前記電源部からの電力供給をオンオフするための電源切換操作体と、前記検知部を収納するケースとが備えられ、前記ケースは、前記検知部の収納箇所の正面側を覆う第１被覆部位と前記収納箇所の側面側を覆う第２被覆部位を有し、前記電源切換操作体は、前記ケースにおける前記第２被覆部位に配置され、前記ケースにおける前記第２被覆部位には、前記ケースの外部の空気を前記ケースの内部に流入可能な流入部が備えられ、前記電源切換操作体は、前記流入部を区画する区画部に連なる状態で備えられている点にある。
【０００７】
正面側の第１被覆部位は、例えば、各種の操作部等が配置されており、使用者が普段から気づき易い部位であるのに対して、側面側の第２被覆部位は、第１被覆部位よりも使用者が気づき難い部位となっている。そこで、本特徴構成では、電源切換操作体を、第１被覆部位ではなく、第２被覆部位に配置することで、その電源切換操作体の存在に使用者が気づき難く、電源切換操作体により電力供給のオフ操作が簡易に行われず、誤って電源部からの電力供給がオフされるのを防止できる。しかも、第２被覆部位は、使用者の体の一部が誤って当接することも生じ難く、誤操作の発生を防止できる。
【０００８】
本発明の第２特徴構成は、前記検知部は、前記電源切換操作体が備えられる前記流入部によって前記ケースの内部に流入する空気から、煙を検知する第１検知部が含まれている点にある。
本発明の第３特徴構成は、前記電源切換操作体は、前記ケースに対して第１姿勢と第２姿勢とに姿勢変更させることで、前記電源部からの電力供給をオンとオフに切り換えている点にある。
【０００９】
本特徴構成によれば、例えば、電源切換操作体の姿勢を第１姿勢に姿勢変更すると、電源部からの電力供給をオンに切り換え、電源切換操作体の姿勢を第２姿勢に姿勢変更すると、電源部からの電力供給をオフに切り換えることができる。したがって、電源切換操作体の姿勢変更の途中である等、電源切換操作体の第１姿勢から第２姿勢への姿勢変更が確実に完了していなければ、電源部からの電力供給がオフに切り換えられないので、電源部からの電力供給が誤ってオフに切り換えられるのを防止できる。しかも、電源切換操作体の姿勢が第１姿勢か第２姿勢かを確認することで、現在、電力供給がオンかオフかを認識できるので、使用者が誤操作の発生にも気づき易くなる。
【００１０】
本発明の第４特徴構成は、前記電源切換操作体は、前記ケースに対して着脱自在で、且つ、前記ケースに対する装着姿勢を前記第１姿勢と前記第２姿勢とに変更自在である点にある。
【００１１】
本特徴構成によれば、例えば、電源部からの電力供給のオフ操作としては、第１姿勢にてケースに装着された電源切換操作体を一旦ケースから取り外し、再度、第２姿勢にて電源切換操作体をケースに装着することになる。このように、電源切換操作体をケースから一旦取り外して再度装着するという操作と、ケースに対する装着姿勢を第１姿勢と第２姿勢とに姿勢変更するという操作との２つの操作を行わなければならず、誤って電源部からの電力供給がオフされるのを的確に防止できる。
【００１２】
本発明の第５特徴構成は、オン位置とオフ位置とに位置変更自在で、且つ、前記オン位置に位置する場合に前記電源部からの電力供給をオンし、前記オフ位置に位置する場合に前記電源部からの電力供給をオフする電源切換部が備えられ、前記電源切換操作体には、前記第１姿勢にて装着された場合に前記電源切換部を前記オン位置に移動させ、且つ、前記第２姿勢にて装着された場合に前記電源切換部を前記オフ位置に移動させる移動作用部が備えられている点にある。
【００１３】
本特徴構成によれば、電源切換操作体を第１姿勢と第２姿勢に姿勢変更すると、電源切換部をオン位置とオフ位置に移動させる移動作用部を電源切換操作体に備えているので、電源切換操作体の姿勢変更に応じて、移動作用部が電源切換部に対して移動作用を発揮することで、電源切換部をオン位置とオフ位置に適切に移動させることができる。よって、電源切換操作体に移動作用部を備えさせるという簡易な構成を採用しながら、電源部からの電力供給をオンとオフに適切に切り換えることができる。
【００１４】
本発明は、前記ケースにおける前記第２被覆部位には、前記ケースの外部の空気を前記ケースの内部に流入可能な流入部が備えられ、前記電源切換操作体は、前記流入部を通して流入される空気の流入方向に沿う姿勢で前記流入部に備えられていると好適である。
【００１５】
本特徴構成によれば、流入部によってケースの外部から内部に空気を流入させるので、検知部は、その流入した空気から検知対象を検知することができる。電源切換操作体は、その空気の流入方向に沿う姿勢で備えられているので、流入部からの空気の流入を阻害することなく、検知部での検知を適切に行うことができる。
【図面の簡単な説明】
【００１６】
【図１】検知器の全体斜視図
【図２】図１におけるＩＩ−ＩＩの断面図
【図３】図１におけるＩＩＩ−ＩＩＩの断面図
【図４】第１カバー、第２カバー及び基板を取り外した状態での検知器の正面図
【図５】第１ケース、基板及び第１カバーの分解斜視図
【図６】第１カバーを装着した第１ケース、第２カバーの分解斜視図
【図７】電源切換操作体を示す斜視図
【図８】ケーシングに対する電源切換操作体の姿勢変更を示す図
【発明を実施するための形態】
【００１７】
本発明に係る検知器の実施形態を図面に基づいて説明する。
この検知器は、図１〜図４に示すように、電源部１からの電力供給により検知対象を検知する検知部２と、その検知部２を収納するケーシング３（ケースに相当する）とが備えられている。ケーシング３には、その上部に壁掛け用の取付孔４が備えられた係止部５が突出する状態で備えられている。これにより、ケーシング３は、室内の壁面等にビス６等の固定具を用いて取り付けられる。
【００１８】
ここで、図中、Ｘ方向を「ケーシング３の上下方向」とし、Ｙ方向を「ケーシング３の横幅方向」とし、Ｚ方向を「ケーシング３の前後方向」として、以下、説明する。
【００１９】
ケーシング３は、その内部の中空空間を検知部２の収納箇所とする直方体状に形成され、図２〜図４に示すように、収納箇所の正面側（前面側）を覆う第１被覆部位３ａと、収納箇所の側面側を覆う第２被覆部位３ｂと、収納箇所の裏面側（後面側）を覆う第３被覆部位３ｃを有している。この実施形態では、第１被覆部位３ａ及び第３被覆部位３ｃの夫々が矩形状に形成され、第２被覆部位３ｂとして、上側面側を覆う部位と、下側面側を覆う部位と、左側面側を覆う部位と、右側面側を覆う部位との４つの第２被覆部位３ｂが備えられている。第３被覆部位３ｃは、第１被覆部位３ａよりも正面視（前面視）での面積が小さく形成され、ケーシング３は、側面視において、第１被覆部位３ａの外周部よりも第３被覆部位３ｃの外周部の方がケーシング３の内方側に位置する窄まり形状に形成されている。
【００２０】
ケーシング３は、各種の機器を収納する第１ケース７とその第１ケース７の前方開口部の一部を覆う第１カバー８とその第１カバー８を覆う第２カバー９とから構成されている。第１ケース７は、図４に示すように正面視（前面視）で矩形状に形成され、その前方側が開口部となっており、その内部に検知部２を収納して、第３被覆部位３ｃと４つの第２被覆部位３ｂを構成している。第１カバー８と第２カバー９は、第１ケース７の前方開口部に備えられており、第２カバー９によって第１ケース７の前方開口部の全体を覆うことで第１被覆部位３ａを構成している。
【００２１】
検知部２は、例えば、火災により発生する煙や温度上昇、不完全燃焼により発生するＣＯガス、都市ガス等のガス漏れにより発生する漏洩ガス等を検知対象としており、このような検知対象を検知できるものであれば、各種の検知部を適用でき、その検知部２の数も適宜変更できる。この実施形態では、検知部２として、例えば、煙を検知する第１検知部２ａとＣＯガスを検知する第２検知部２ｂと漏洩ガスを検知する第３検知部２ｃの３つの検知部が備えられている。
【００２２】
検知部２は、ケーシング３の外部からケーシング３の内部に流入する空気から検知対象を検知しており、ケーシング３には、その空気をケーシング３内部に流入可能な流入部１０が備えられている。流入部１０は、４つの第２被覆部位３ｂの夫々に備えられた開口部からなり、ケーシング３の側面部の全周に亘ってケーシング３の外部からケーシング３の内部に空気を流入している。ケーシング３の第１ケース７には、図１に示すように、正面視（前面視）で四隅の夫々に前後方向（Ｚ方向）に延びる柱部７ａが備えられ、その柱部７ａ同士の間に形成された開口部を流入部１０としている。このように、ケーシング３の周方向では、ケーシング３の四隅に柱部７ａが存在するだけであり、ケーシング３の側面部の全周に亘って大きな開口面積の流入部１０を備えさせることができ、ケーシング３の内部への空気の流入を効果的に行うことができる。
【００２３】
流入部１０には、前後方向（Ｚ方向）に延びる中間柱部１２と、前後方向（Ｚ方向）に直交する方向に延びる板状の区画部１１とが備えられている。これにより、柱部７ａ同士の間の開口部が、中間柱部１２及び区画部１１によって区画され、誤って異物や使用者の手等がケーシング３の内部に挿入されるのを防止している。また、中間柱部１２を備えることで、ケーシング３の強度を補強している。
【００２４】
ケーシング３内には、図４に示すように、検知部２に加えて、電源部としての電池１と、検知部２の検知動作やその検知状況に応じた警報動作の制御、電池１からの電力供給のオンオフ制御等、各種の制御を行うための制御回路を有する基板１３（図５参照）と、音声等により警報を行うスピーカ部１４と、点灯表示等により警報を行う警報表示部１５（図５参照）と、電源表示部１６とが収納されている。
【００２５】
各機器の配置位置については、図４に示すように、正面視において、電池１が左上方側に配置され、電池１の下方側に第１検知部２ａが配置され、電源表示部１６が左下端部に配置されている。スピーカ部１４が右上方側に配置され、スピーカ部１４の下方側に第２検知部２ｂが配置され、第２検知部２ｂの下方側に第３検知部２ｃが配置されている。基板１３は、図５に示すように、第１ケース７に収納された第１検知部２ａを覆う状態で取り付けられている。
【００２６】
この検知器では、上述の如く、ケーシング３の側面部の全周に亘って流入部１０を形成して、ケーシング３の側面部の全周に亘って空気をケーシング３の内部に流入しており、その流入した空気の流れを、他の機器にて阻害されることなく、検知部２（第１検知部２ａ）に対してケーシング３の側面部の全周に亘って流通させている。
【００２７】
第１検知部２ａに対する空気の流通について説明を加える。
図４に示すように、第１検知部２ａは、正面視で左下方側に配置されており、第１検知部２ａと下側面側及び左側面側の流入部１０ｂ、１０ｃとの間に他の機器が存在しない。よって、図２及び図３の矢印にて示すように、左側面側の流入部１０ｃから流入する空気、及び、下側面側の流入部１０ｂから流入する空気は、その流れが他の機器にて阻害されることなく、第１検知部２ａに流通させることができる。
【００２８】
図４に示すように、第１検知部２ａと右側面側の流入部１０ｄとの間には、第２検知部２ｂと第３検知部２ｃが配置されている。第２検知部２ｂと第３検知部２ｃは、１つの収納部に上下方向（Ｘ方向）に並ぶ状態で収納され、図３及び図４に示すように、第１ケース７の前方開口部側であるケーシング３の前面側に配置されている。これにより、図３の矢印に示すように、第２検知部２ｂ及び第３検知部２ｃとケーシング３の第３被覆部位３ｃとの間に空間が形成され、この空間を通して右側面側の流入部１０ｄから流入した空気を第１検知部２ａに流通させることで、その空気の流れが第２検知部２ｂ及び第３検知部２ｃにて阻害されることなく、第１検知部２ａに空気を流通させることができる。
【００２９】
図４に示すように、第１検知部２ａと上側面側の流入部１０ａとの間には、電池１が配置されている。図２に示すように、電池１は、第１ケース７の前方開口部側であるケーシング３の前面側に配置されている。これにより、図２の矢印にて示すように、電池１とケーシング３の第３被覆部位３ｃとの間に空間が形成され、この空間を通して上側面側の流入部１０ａから流入した空気を第１検知部２ａに流通させることで、その空気の流れを電池１にて阻害されることなく、第１検知部２ａに空気を流通させることができる。このように、電池１を第１検知部２ａよりもケーシング３の前面側に突出させて配置することで、電池１の後方側に空気の流通空間を十分に確保でき、流入部１０ｄから流入する空気を電池１に邪魔されることなく第１検知部２ａまで流通させている。
【００３０】
上述の如く、第１ケース７内に収納される各機器をケーシング３の前後方向（Ｚ方向）でずらして配置することで、第１検知部２ａに対して、他の機器にて邪魔されることなく、ケーシング３の側面部の全周に亘って空気を流通させることができる。特に、電池１はケーシング３の前後方向（Ｚ方向）での大きさがスピーカ部１４よりも大きいので、電池１をケーシング３の前面側に配置し、その電池１とケーシング３の第３被覆部位３ｃとの間に空気流通空間を確保することで、第１検知部２ａへの空気の流通を適切に行うことができ、検知器としての検知性能の向上を効果的に図ることができる。しかも、電池１を迂回して第１検知部２ａに空気を流通させる空気流通路を形成しなくてもよく、ケーシング３の前後方向（Ｚ方向）での大きさを小さくでき、ケーシング３のコンパクト化も図ることができる。
【００３１】
第１検知部２ａだけでなく、第２検知部２ｂ及び第３検知部２ｃに対しても適切に空気を流通させることができる。つまり、図４に示すように、第２検知部２ｂ及び第３検知部２ｃは、正面視で右下方側に配置されており、第２検知部２ｂ及び第３検知部２ｃと右側面側の流入部１０ｄとの間に他の機器が存在しないことから、図３の矢印にて示すように、右側面側の流入部１０ｄから流入する空気は、その流れが他の機器にて阻害されることなく、第２検知部２ｂ及び第３検知部２ｃに流通させることができる。
【００３２】
ケーシング３は、図５及び図６に示すように、第１ケース７に対して、第１カバー８、第２カバー９の順に装着することで構成されている。第１カバー８は、第１ケース７に収納された３つの検知部２ａ、２ｂ、２ｃの検知部設置領域の全体を覆う状態で装着され、第２カバー９は、第１カバー８を覆う状態で装着される。第１カバー８は、第１ケース７に収納される機器のうち、電池１のみを露出させ且つそれ以外の機器を覆う状態で装着され、第２カバー９は、電池１と第１カバー８の全体を覆う状態で装着されている。これにより、第２カバー９を取り外すことで、電池１を露出させることができ、必要な際に電池１の着脱作業を簡易に行うことができる。
【００３３】
第１カバー８及び第２カバー９の夫々には、図５及び図６に示すように、スピーカ部１４を覆う部位にスピーカ部１４からの音声を外部に伝達するためのスピーカ用開口部８ａ、９ａが形成されている。第１カバー８は、透明又は半透明に構成され、警報表示部１５の光を透過する状態で警報表示部１５を覆う警報表示カバー部位８ｂが備えられている。第２カバー９には、第１カバー８の警報表示カバー部位８ｂを外部に露出させる警報表示用開口部９ｂが備えられ、警報表示部１５の表示内容を外部から視認することができる。また、第２カバー９には、第１カバー８にて電源表示部１６を覆う部位を外部に露出させる電源表示用開口部９ｄが備えられ、電源表示部１６の表示内容を外部から視認することができる。
【００３４】
この検知器には、図４〜図６に示すように、スピーカ部１４及び警報表示部１５により警報動作が行われた際に、その警報動作を停止させるための警報停止用操作部２０が正面視で下方側中央部に配置されている。この警報停止用操作部２０は、その下端部にケーシング３の横幅方向（Ｙ方向）に沿う揺動軸心を有しており、その揺動軸心周りに揺動操作自在に備えられている。警報停止用操作部２０が収納された第１ケース７に第１カバー８を装着することで、第１ケース７と第１カバー８との間で警報停止用操作部２０が支持されている。第２カバー９には、警報停止用操作部２０を外部から操作自在に露出させる操作部用開口部９ｃが備えられている。
【００３５】
この検知器は、電池１からの電力供給により検知部２の検知動作を行っており、図１に示すように、電池１からの電力供給をオンとオフに切り換えるための電源切換操作体１７が備えられている。基板１３（図５参照）に備えられた制御回路は、電源切換操作体１７にてオン操作されると、電池１からの電力供給をオンして検知部２での検知動作を行い、電源切換操作体１７にてオフ操作されると、電池１からの電力供給をオフして検知部２での検知動作を停止している。
【００３６】
電源切換操作体１７は、図６及び図８に示すように、ケーシング３の第２被覆部位３ｂに配置されている。電源切換操作体１７は、ケーシング３に対して着脱自在で、且つ、ケーシング３に対する装着姿勢を第１姿勢と第２姿勢とに変更自在に構成されている。この実施形態では、ケーシング３における左側面側の第２被覆部位３ｂに装着部１８が形成され、その装着部１８に電源切換操作体１７を嵌め込むことで、電源切換操作体１７をケーシング３に装着する。装着部１８に装着された電源切換操作体１７を引っ張り出すことで、電源切換操作体１７をケーシング３から取り外す。
【００３７】
装着部１８は、図１、図６及び図８に示すように、左側面側の流入部１０ｃに備えられており、その流入部１０ｃに備えられた区画部１１の一部をケーシング３の内方側に切り欠いて形成している。これにより、装着部１８に電源切換操作体１７を装着した状態では、電源切換操作体１７の大部分がケーシング３の内方側に位置し、その一部のみがケーシング３の外方側に突出して、その突出部分を使用者が摘むことで引っ張りだすことができる。そして、電源切換操作体１７は、ケーシング３の上下方向に延びる区画部１１と一連に連なる状態で装着部１８に装着されている。また、装着部１８に電源切換操作体１７を装着した状態では、図３に示すように、ケーシング３の外方側から内方側に向けて、電源切換操作体１７、区画部１１の順に連続して存在している。そして、電源切換操作体１７は、２つの板部材１７ａ、１７ｂを組み合わせて構成しており、基本的には、ケーシング３の外方側から内方側に向かう方向に沿って延びる板状に形成されている。よって、電源切換操作体１７は、流入部１０を通して流入される空気の流入方向（ケーシング３の外方側から内方側に向かう方向）に沿う姿勢で備えられている。これにより、電源切換操作体１７は、流入部１０を通して流入される空気の流れを阻害することなく、ケーシング３の内部への空気の流入を適切に行うことができる。
【００３８】
第１姿勢と第２姿勢とは、電源切換操作体１７を上下反転させてケーシング３に装着させた姿勢であり、図７（ａ）及び図８の左側に示すように、第１姿勢では電源切換操作体１７の上面側がケーシング３の前面側となる姿勢で装着され、図７（ｂ）及び図８の右側に示すように、第２姿勢では電源切換操作体１７の下面側がケーシング３の前面側となる姿勢で装着されている。
【００３９】
電源切換操作体１７は、図７に示すように、側面視Ｌ字状の第１板部材１７ａと第２板部材１７ｂの２つの板部材からなり、それら板部材１７ａ、１７ｂの起立壁をケーシング３の外方側となるように位置させてケーシング３の内方側から第１板部材１７ａ、第２板部材１７ｂの順に並ぶ状態に構成されている。第１姿勢では、図７（ａ）に示すように、第１板部材１７ａが第２板部材１７ｂよりも一段上方側に位置する姿勢となり、図７（ｂ）に示すように、第２姿勢では、第１板部材１７ａが第２板部材１７ｂよりも一段下方側に位置する姿勢となる。
【００４０】
第１板部材１７ａの上面側には、その上方側に突出する鉤状部１７ｃが備えられている。ケーシング３の装着部１８に電源切換操作体１７を嵌め込むことで、鉤状部１７ｃがケーシング３の内部に形成された被係合部（図示省略）に係合し、ケーシング３に対する電源切換操作体１７の装着姿勢が第１姿勢又は第２姿勢に姿勢保持されている。鉤状部１７ｃは、電源切換操作体１７の横幅方向で中央部に配置され、電源切換操作体１７を第１姿勢又は第２姿勢にて装着したときに、ガタツキが電源切換操作体１７の横幅方向で均等になるようにしている。装着部１８においてケーシング３の外方側端部は、電源切換操作体１７における第１板部材１７ａの装着する側の先端部よりも幅広となっており、装着部１８に電源切換操作体１７を嵌め込み易い。しかも、装着部１８におけるケーシング３の外方側端部も、第１板状部材１７ａの装着する側の先端部も、その両側が傾斜状に形成されているので、位置ずれしていても傾斜面同士が当接することで、電源切換操作体１７を所望の装着位置に案内できる。電源切換操作体１７をケーシング３から取り外す場合には、鉤状部１７ｃと被係合部の係合を解除するように電源切換操作体１７を引っ張り出すことになる。
【００４１】
ケーシング３の内部には、図８に示すように、オン位置とオフ位置とに位置変更自在で、且つ、オン位置に位置する場合に電池１からの電力供給をオンし、オフ位置に位置する場合に電池１からの電力供給をオフする電源切換部１９が備えられている。図８では、電源切換部１９がオフ位置からオン位置に移動させる動作を左側に示しており、電源切換部１９がオン位置からオフ位置に移動させる動作を右側に示している。
【００４２】
電源切換操作体１７には、その電源切換部１９をオン位置とオフ位置とに移動させる移動作用部１７ｄが備えられている。移動作用部１７ｄは、電源切換操作体１７を第１姿勢にて装着した場合に電源切換部１９をオン位置に移動させ、且つ、電源切換操作体１７を第２姿勢にて装着した場合に電源切換部１９をオフ位置に移動させている。移動作用部１７ｄは、電源切換部１９をオン位置とオフ位置とに押圧移動させる切欠溝部にて構成されている。この切欠溝部は、対向する壁部のうち、一方側だけがケーシング３の外方側ほど幅狭とする傾斜状の傾斜部１７ｅに形成されている。電源切換操作体１７をケーシング３の内方側に移動させるに伴って、電源切換部１９が傾斜部１７ｅにて押圧案内されてオン位置からオフ位置に（図８中右側参照）又はオフ位置からオン位置（図８中左側参照）に移動する。図７に示すように、電源切換操作体１７の横幅方向で傾斜部１７ｅを形成する部位とその傾斜部１７ｅに対向する壁部１７ｆを形成する部位との間に形成された中空部に連続して、傾斜部１７ｅの後方側（壁部１７ｆとは離れる側）に延びる中空連続部１７ｇが形成されている。これにより、電源切換操作体１７を第１姿勢又は第２姿勢で装着する際に、電源切換部１９の寸法公差に対応して傾斜部１７ｅが撓み変形し、傾斜部１７ｅにて電源切換部１９を適切に押圧案内できる。
【００４３】
電源切換操作体１７は、通常、第１姿勢にてケーシング３に装着されており、電池１からの電力供給がオンされて、検知部２の検知動作を行っている。図８の左側において矢印とは逆方向の手順で、第１姿勢にて装着された電源切換操作体１７を一旦ケーシング３から取り外し、図８の右側において矢印の手順で、電源切換操作体１７を上下反転させて第２姿勢に姿勢変更し、その第２姿勢にてケーシング３に装着することで、電池１からの電力供給をオフして、検知部２の検知動作を停止している。また、検知部２の検知動作を行うための電池１からの電力供給をオフした場合には、スピーカ部１４及び警報表示部１５が警報動作中であれば、その警報動作が停止され、電源表示部１６も消灯される。このように、電源切換操作体１７をケーシング３から一旦取り外して再度装着するという操作と、ケーシング３に対する装着姿勢を第１姿勢と第２姿勢とに姿勢変更するという操作との２つの操作を行わなければならず、電力供給のオフ操作が簡易に行われず、誤って電池１からの電力供給がオフされて検知動作が停止されるのを的確に防止できる。
【００４４】
そして、図８の右側において矢印とは逆方向の手順で、第２姿勢にて装着された電源切換操作体１７を一旦ケーシング３から取り外し、図８の左側において矢印の手順で、電源切換操作体１７を上下反転させて第１姿勢に姿勢変更し、その第１姿勢にてケーシング３に装着することで、電池１からの電力供給をオンして、検知部２の検知動作を行っている。
【００４５】
〔別実施形態〕
（１）上記実施形態において、電源切換操作体１７をケーシング３に対して着脱自在に備えなくてもよい。例えば、電源切換操作体１７を、ロック位置とロック解除位置とに回転操作自在とし、ロック解除位置に回転操作した状態でケーシング３の内方側の第１位置と外方側の第２位置とに移動自在とすることもできる。この場合、第１位置においてロック位置に回転操作されると、検知部２の検知動作を行うための電源部からの電力供給をオンし、第２位置においてロック位置に回転操作されると、検知部２の検知動作を行うための電源部からの電力供給をオフする。これにより、電力供給のオフ操作としては、まず、第１位置においてロック位置からロック解除位置に回転操作し、次に、第１位置から第２位置に移動させて、その第２位置においてロック解除位置からロック位置に回転操作することになる。
【００４６】
また、電源切換操作体１７をケーシング３に対して着脱自在にしない別の例としては、電源切換操作体１７をケーシング３の外方に少し引っ張りだした位置で、第１姿勢と第２姿勢に回転操作自在とし、いずれかの姿勢を選択して、電源切換操作体１７をケーシング３の内方に向けて押し込むことで、検知部２の検知動作を行うための電源部からの電力供給をオンとオフとに切り換えるようにしてもよい。
【００４７】
（２）上記実施形態では、電源切換操作体１７の移動作用部１７ｄとして傾斜部１７ｅを用いたものを例示したが、移動作用部はこのような構成に限らず、電源切換部をオン位置とオフ位置に移動させるものであればよい。例えば、電源切換部をケーシングの内方側のオフ位置と外方側のオン位置とに移動自在で、且つ、弾性体等によりオン位置側に付勢復帰する状態で備え、電源切換操作体を第１姿勢とすると、その電源切換操作体に備えた凸状の押圧部が電源切換部に備えた凹部に嵌り込んで電源切換部を押圧せずに外方側のオン位置に位置させ、電源切換操作体を第２姿勢とすると、電源切換操作体の凸状の押圧部が電源切換部の凹部以外の箇所を押圧して弾性体等の付勢力に抗して電源切換部を押圧移動させて内方側のオフ位置に移動させる。
【００４８】
（３）上記実施形態において、電源切換操作体１７の配設位置については、左側面側としているが、右側面側、上側面側、又は、下側面側のいずれでもよい。また、ケーシング３の形状は第１被覆部位３ａと第２被覆部位３ｂを有するものであればよく、適宜変更できることから、その変更されたケーシングの形状に合わせて電源切換操作体の配設位置も変更することができる。
【００４９】
（４）上記実施形態において、電源切換操作体１７のどちらの面をケーシング３の前面側に向けて嵌め込むと、検知部２の検知動作を行うための電源部からの電力供給がオンとオフとのどちらになるかを視覚的に理解し易くするために、電源切換操作体１７の表面と裏面とを異なる色としてもよい。
【００５０】
（５）上記実施形態では、電源部としての電池１をケーシング３に収納しているが、例えば、外部電源にコンセント等を接続してその外部電源から電力供給を受けるものでもよい。
【符号の説明】
【００５１】
１          電源部（電池）
２          検知部
３          ケーシング（ケース）
３ａ        第１被覆部位
３ｂ        第２被覆部位
１０        流入部
１７        電源切換操作体
１７ｄ      移動作用部
１９        電源切換部
【図１】
0006501496.tif 000002
【図２】
0006501496.tif 000003
【図３】
0006501496.tif 000004
【図４】
0006501496.tif 000005
【図５】
0006501496.tif 000006
【図６】
0006501496.tif 000007
【図７】
0006501496.tif 000008
【図８】
0006501496.tif 000009